Podtech/llm-jp-corpus-v4-ja_patent huggingface dataset:
(57)【要約】      （修正有）【課題】容器等の結束封印に用いられているＰＰバンドに、容器等に収められている内容物に関する各種情報を、結束封印の際に印刷した内容物表示ＰＰバンドを提供する。【解決手段】表面にＱＲコード（登録商標）や文字情報が印刷されたことを特徴とするＰＰバンド１０で、容器１と蓋１ａを結束して溶着結束封印の際、ＰＰバンド１０に各種情報を印刷し、封印と内容物に関する情報の２つの機能を持たせることで、表示ラベル等を排除し、粘着及び剥離等の作業を省くことを可能にした。【選択図】図１
0003196436.tif 000002
【実用新案登録請求の範囲】
【請求項１】
ＰＰバンドの表面にＱＲコードや文字情報が印刷されたことを特徴とするＰＰバンド。
【請求項２】
ＰＰバンドで結束封印の際、上記ＰＰバンドに上記情報が印刷されてなることを特徴とする請求項１に記載のＰＰバンド。
【考案の詳細な説明】
【技術分野】
【０００１】本考案は容器等の結束封印に用いられているＰＰバンドに、容器等に収められている内容物に関する各種情報を、結束封印の際に印刷した内容物表示ＰＰバンドに関するものである。
【背景技術】
【０００２】従来、小口輸送方法として、金属製やプラスチック製の容器が使用されており、内容物の保護や漏洩防止の目的で容器に収納する前にポリエチレン製やポリプロピレン製又はナイロン製の単層若しくは重層された袋体に充填された物を保護する為に使用されている。以前より、ゴミの処理等の問題が社会的な環境問題に成り、リサイクルやリユース等に可能な提案がされてきている。
【考案の概要】
【考案が解決しようとする課題】
【０００３】本考案は、上記問題を解消するため、リユース等の目的で通い容器の提案を実施している。図４に図示する如く、その中で内容物の必要事項等の表示はラベル５等の印刷物を容器に粘着して流通させている。これ等のラベル５等の粘着物はリユースの場合、洗浄等に剥離するが、手間と時間が掛かり、リユース化の普及の障害になっている。金属缶（本体）２などの容器のリユースに於いて、多くは容器がフルオープンの金属缶（本体）２と金属缶の蓋部２ａに分かれており、容器内に収められている袋状内に充填されている内容物を取り出し易いようになっている。その際に容器と蓋をＰＰバンド３の両端部を溶着等により結束し、封印しているのが一般に用いられているＰＰバンド３である。そこで、これ等の一連の流れを簡素化する事で容器のリユース化をより効率的に行うことが切望されていた。
【課題を解決するための手段】
【０００４】本考案は、ＰＰバンドの表面にＱＲコードや文字情報が印刷されたことを特徴とするＰＰバンドで、容器と蓋を結束して溶着結束封印の際、ＰＰバンドに各種情報を印刷し、封印と内容物に関する情報の２つの機能を持たせることで、表示ラベル等を排除し、粘着及び剥離等の作業を省くことを可能にした。
【考案の効果】
【０００５】  本考案により、
（１）    通いの容器として軽量化や薄肉化の為に強度を増す目的でリブと呼ばれる凹凸を付けた容器も多く見られる様になった。結果として内容表示の粘着ラベルが貼りにくくなり、表示の場所もＰＰバンドと重なる位置を避ける事となる。因って、容器の最も外面に位置するＰＰバンドに印刷する事により、容器の形状に限定される事も無く、ラベルを粘着する作業自体も省く事が出来た。
（２）    ＰＰバンドにプリンターで内容物に関する情報を的確に印刷をする事で嵌め殺し等による改竄防止や粘着ラベルによる内容物の表示の必要も無くなり、ラベル等の剥がし等を含む容器洗浄の簡素化が確実に出来るようになった。更にラベル自体を使用しない為にラベル貼り後に出る剥離紙やラベルの枠等のゴミも生じなくなった。
（３）    通いの容器の普及を促進する事で廃棄ゴミの減容化が出来、結束封印に使用したＰＰバンドも通いの容器と共に回収が出来、リサイクルが可能になった。
（４）    印刷の内容も文字や数字等の様に容易に解読できるものから、大量のデーター容量を持つＱＲコード等の高度な印刷を施す事で改竄防止に寄与出来ると共に両者を組み合わせる事で内容物の情報だけではなく、輸送の際に用いられる送り状等の機能も付加する事が可能となり、通い容器以外の一般配送の用途にまで使用範囲を広げる事が出来た。
【図面の簡単な説明】
【０００６】
【図１】  本考案に係るＰＰバンドを樹脂缶に結束した実施例を示す説明図である。
【図２】  図１のＡ部（ＰＰバンド印刷部分）拡大図である。
【図３】  ＰＰバンドの自動結束機に樹脂缶をセットした状況を示す説明図である。
【図４】  従来のＰＰバンドとラベルを金属缶に使用した事例を示す説明図である。
【考案を実施するための形態】
【０００７】本考案に係る一実施例につき、図１から図４を参照して以下説明する。
【実施例】
【０００８】本考案の内容物に関する情報が印刷されたＰＰバンド１０とは、９ｍｍから１９ｍｍ幅が主として使用されているＰＰバンド３に結束時に印刷されたものである。ＰＰバンド１０に印刷されたものは以前よりあるが図４に図示する様に印刷内容は会社名や取扱注意等の文字が殆どであり、対象物が限定されてなく、内容物に関する細かいデーター等の表示はなかった。内容物の表示に関しても製造年月日等は容器本体や蓋部に印字してあり、図１に図示するように、樹脂缶（本体）１や金属缶（本体）２などの容器本体や、樹脂缶の蓋１ａや金属缶の蓋２ａなどをリユースする為には、ラベル５等に印刷して、回収後にラベル５等を剥離し、次回の配送に備えるのが一般的であるが、金属缶２等ではリユースされずに使い捨ての場合も多く見られた。本実施例の内容物に関する情報が印刷されたＰＰバンド１０は、図３に図示する様に自動又は半自動結束機と組合せて使用する。樹脂缶（本体）１、金属缶（本体）２と、樹脂缶の蓋（被せ蓋）１ａ、金属缶の蓋２ａは前もって入力された内容物に関する情報をＰＰバンド３の表面にプリンター等で結束封印の直前に印刷する。実施例としては限定された使用者向けに、金属缶（本体）１や樹脂缶（本体）２などの通い容器として使用されるので、表示の内容は、図２に図示するような情報が印刷されたＰＰバンド１０の改竄防止が可能な印刷も行う。
【産業上の利用可能性】
【０００９】本考案によれば、封印と内容物に関する情報の表示を一度に行い、容器のリユース化を図る事で資源の有効な活用と省力化を効率的に行える。嵌め殺しによる、嵌合蓋のリユース不可の解消を始め、小口輸送方法の改竄防止として、食品分野では、水産物、農産物の個体や液状の輸送や工業製品の通い容器として広範囲の産業に採用可能である。
更にリユース化だけで無く、封印と内容物に関する情報の表示を一度に行う事で物流の簡素化が可能に成り、一般の物流に対しても利用可能性は非常に大きいと思われる。
【符号の説明】
【０１０】１      樹脂缶（本体）
１ａ    樹脂缶の蓋
２      金属缶（本体）
２ａ    金属缶の蓋
３      ＰＰバンド
４      ＰＰバンドの自動結束機
５      ラベル
１０    情報が印刷されたＰＰバンド
【図１】
0003196436.tif 000003
【図２】
0003196436.tif 000004
【図３】
0003196436.tif 000005
【図４】
0003196436.tif 000006
(57)【要約】      （修正有）【課題】膜体とパイプ構造物の接続部の強度強化が得られ、安全、迅速に設営出来る簡単覆いテントを提供する。【解決手段】膜体が向かい合うシート端部袋状の筒１−２に、楕円形等のパイプ２を通し、そのパイプ２に張力のかけられる器具のついたナイロン製のベルト３−１又はワイヤー荷締機などで膜体端部に通してあるパイプ２と構造物を引き合わせることで強力な張力を得られて膜体が構造物と接続する設営ができる。【選択図】図３
0003196462.tif 000002
【実用新案登録請求の範囲】
【請求項１】
1枚のシートの向かい合う二辺のシート端部に施された袋状の筒に、楕円形等のパイプを通し、そのパイプから張力の掛けられる器具が付いたベルトを用い、シートを構造物に張力を掛けて接続することを特徴とする簡単覆いテント。
【考案の詳細な説明】
【技術分野】
【０００１】
本考案は、パイプ構造物に膜体を簡単に取り付ける製品の基本構造を提供するものである。
【背景技術】
【０００２】
近年、イベント用テント、商業施設のテント、テント倉庫などではパイプ構造物と膜体を取り付けするのには、ロープや紐などが用いられている。
【０００３】
ロープや紐を用いてパイプ構造物に膜体を接続する場合は、取り付け個所の紐やロープがテントの規模にもよるがかなりの数量になる。
【０００４】
また接続部分の紐やロープはミシン縫製や溶着加工等により直接また部材を介して間接的に接続されている。
【０００５】
これらの接続方法では、接続箇所が数多くになり、接続時間もかかり作業性、安全性、経済効果も悪い。
【０００６】
また最近の膜体構造物は建築基準法、消防法などの法的基準もクリアーされ、さらに大型化されてきた。
【０００７】
構造物に膜体を取り付けるには、安全、迅速、また接続強度がより求められてきた。
【先行技術文献】
【特許文献】
【０００８】
【特許文献１】なし
【非特許文献】
【０００９】
【非特許文献１】なし
【考案の概要】
【考案が解決しようとする課題】
【００１０】
本考案は、膜体とパイプ構造物の接続を、楕円形等のパイプを用いて接続部の強度強化、安全、迅速に設営出来ることを課題とする。
【課題を解決するための手段】
【００１１】
以上の課題を解決するために、請求事項1の1枚の膜体の向かい合うシート端部に施された袋状の筒に、楕円形のパイプを通し、そのパイプからベルトなどで張力をかけて膜体を構造物に接続することを特徴とする簡単覆いテント。
【考案の効果】
【００１２】
膜体構造物と膜体を接続するのに短時間、安全、迅速、強力に設営でき経済効果や安全性の向上が見込まれる。  
【図面の簡単な説明】
【００１３】
【図１】図１は楕円パイプの斜図である。
【図２】図２は楕円パイプを簡単覆いテントに取り付けた図。
【図３】図３は簡単覆いテントを構造物に設営しようとする図である。
【考案を実施するための形態】
【００１４】
図3は簡単覆いテントの設置状態図。
簡単に覆うことが出来るテントは、テント1の屋根面両端の端部に加工された袋状の筒1−2に楕円形のパイプ2を通し、通したパイプからロープ、ラッシングベルト3−1などでパイプに張力を掛けてテントを張ることにより迅速、安全、簡単、強度が得られた膜体を設営出来る。本考案に関わる簡単覆いテント設営方法は、説明を行った形状に限定されない。
本考案に関わる簡単覆いテント設営方法は、設置するテントの大きさ、形状により構造計算及び強度計算され、パイプ2の大きさ、張力の掛けられるロープ、ベルト等の数量が決まる。
【００１５】
考案の各部材は、使用目的から膜体は防水性を有し丈夫な生地で、紫外線による劣化対策が施された生地が望ましく、膜体端部の袋状の筒に通すパイプは楕円形状のパイプを図1の斜図のように立てて使用すると強度を得られやすいが、楕円の形状にはこだわらない又、パイプに張力を掛けるロープやベルトは、ロック機能を備え張力が掛けられる器具がついたナイロン製ベルトが効果的である。
【産業上の利用可能性】
【００１６】
以上、説明したように本考案によれば、簡単覆いテントの設営は、従来のテントと構造物の接続箇所が数多くの紐やロープに比べて設営の時間の短縮、作業の安全性が見込まれ、接続箇所の数が大幅に減少され、膜体と一体になることにより構造物との接合がより強力になり安全なテント構造物が見込まれる。
【符号の説明】
【００１７】
1簡単覆いテント
1−2  簡単覆いテント袋状筒
1−3  簡単覆いテント袋状筒にある切り込み
2  楕円径等のパイプ
3−1  張力が掛けられる器具が付いたベルト
3−2  パイプに掛けるベルト先端部のフック
3−3構造物の  固定部に掛けるベルト先端部のフック
【図１】
0003196462.tif 000003
【図２】
0003196462.tif 000004
【図３】
0003196462.tif 000005
(57)【要約】      （修正有）【課題】６か月分のカレンダーが印刷されたフィルムシート２枚をフィルムシートを使用した蒲鉾型のケースに組み込み回転させることで、フィルムシートに印刷された１月分のカレンダーの玉を連続的に表示させる卓上スクロール式カレンダーを提供する。【解決手段】予め６か月分のカレンダーを印刷したフィルムシートを円柱状に組立て、該構造体をフィルムシートの外枠の中で一定距離回転させることにより連続的なカレンダー表示を可能とするものである。【選択図】図１
0003196461.tif 000002
【実用新案登録請求の範囲】
【請求項１】
本考案はフィルムシートで作成しトムソンにより打ち抜かれた、奇数月、偶数月の１か月分をそれぞれに６か月分連続して印刷されたカレンダーシート２枚（以下カレンダーシートと表記）を円柱状に組立て、それらをあらかじめ１か月分のカレンダー表示が視認できる透明スペースを２つ並行して備えるように印刷を施されたフィルムシートの外枠の内側に組み込み、前述のカレンダーシートを回転を一定距離回転させることで透明スペースに表示されるカレンダーを変化させることを特徴とする卓上スクロール式カレンダー。
【請求項２】
請求項１に記載の卓上スクロール式カレンダーはトムソン型を使用して打ち抜かれた前述のカレンダーシート２枚が、請求項１に記載のフィルムシートの外枠と組み合わせた時に、該構造体に設けられたカレンダー表示視認のための透明スペースに１か月分のカレンダーを正確に表示させるための構造である、同一のピッチ間隔を持ったストッパーをカレンダーシートの外縁に備えることを特徴とする卓上スクロール式カレンダー。
【請求項３】
前記の材料に対する印刷は、オフセット印刷を用いて絵や文字、写真などを印刷した請求項１に記載の卓上スクロール式カレンダー。
【考案の詳細な説明】
【技術分野】
【０００１】  本考案は主として、フイルムシート材料に対して文字や図画を印刷した、多目的に使用できる利便性の高いノベルティー商品あるいは小売商品に関するものである。
【背景技術】
【０００２】  従来の卓上カレンダーは月が終わるごとにカレンダーシートを交換する必要があった。また、カレンダーシートが順不同にケースに収められている場合は該当するカレンダシートを探す必要があった。
【考案が解決しようとする課題】
【０００３】  あらかじめトムソンにより加工された６か月分のカレンダーが印刷されたカレンダーシート２枚を円柱状に組み立てて、フィルムシートを使用した蒲鉾型のケースに組み込み任意に回転させることで、円柱状のフィルムシートに印刷された１月分のカレンダーの玉を連続的に表示させるものである。
【０００４】  大きさの違う筒を２重に重ねた構造により図画および印刷物を絵合わせのように正確な位置に表示させるためには、印刷による目印などが必要とされ製品の美観を損ねていた。
【０００５】  少なからずプラスチック製品は廃棄処理の段階で環境に負荷をかけてしまうという課題を持っているが、本考案である小物収納付きスイッチパネルカバーの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００６】  本考案はトムソン型を使用して打ち抜かれた奇数月、偶数月の１か月分が６か月分連続して印刷されたプラスチックシート２つに、カレンダー表示が視認できる透明スペースに１か月分のカレンダーを正確に表示させるため、同一のピッチ間隔を持ったストッパーをカレンダー部の外縁に備えることを特徴とする卓上スクロール式カレンダーである。
【考案実施の形態】
【０００７】  図１は本考案の卓上スクロール式カレンダーの展開図である。図１でカレンダーシート（Ｓ１）（Ｓ２）は断続的に切込みの入った罫線（Ｃ）によって連結されている。またそれぞれに差し込み（ａ１）（ａ２）（ａ３）とそれに対応する切込み（ｂ１）（ｂ２）（ｂ３）を持ち、差し込みを切込みに組み込むことでカレンダーシート（Ｓ１）（Ｓ２）は円柱状になる。また、カレンダーシート（Ｓ１）（Ｓ２）にはカレンダーケース（１）に施された透明窓（Ｍ１）（Ｍ２）に１か月分のカレンダーが正しく表示されるためのスリット群（Ｆ１）（Ｆ２）が施されている。カレンダーケース（１）には前述のスリット群を一時的に収納することでカレンダーシート（Ｓ１）（Ｓ２）の可変幅を一定にすることを可能にする溝（ｆ１）（ｆ２）を持つ。
【０００８】  図２は本考案の卓上スクロール式カレンダーの斜視図である。図２でカレンダーシート（Ｓ１）（Ｓ２）はカレンダーケース（１）に組み込まれ、カレンダーケース（１）にの中央に対称に設けられた透明のカレンダー視認スペース（Ｍ１）（Ｍ２）よりそれぞれ１か月分のカレンダーを表示させている状態である。
【０００９】  図３は本考案の卓上スクロール式カレンダーのカレンダーシート（Ｓ１）（Ｓ２）とカレンダーケース（１）の斜視図である。図３で円柱状に組み立てられたカレンダーシート（Ｓ１）（Ｓ２）の外縁部には一定のピッチ間隔を持ったストッパーが施されており、これらがカレンダーケース（１）を組み立てた時に底部両端に現れる溝（ｆ１）（ｆ２）に連続的に嵌合することでカレンダー視認スペース（Ｍ１）（Ｍ２）に正しい位置でカレンダーを表示させることが出来るものである。
【００１０】  この小物収納付き卓上スクロール式カレンダーの材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【図面の簡単な説明】
【００１１】
【図１】卓上スクロール式カレンダーの展開図
【図２】卓上スクロール式カレンダーの斜視図
【図３】卓上スクロールカレンダーの分解図
【符号の説明】
【００１２】１    カレンダーケース
ａ１  差し込み
ａ２  差し込み
ａ３  差し込み
ｂ１  切込み
ｂ２  切込み
ｂ３  切込み
Ｃ    スリット
ｄ１  差し込み
ｄ２  差し込み
ｅ１  切込み
ｅ２  切込み
ｆ１  ストッパー用溝
ｆ２  ストッパー用溝
Ｆ１  ストッパー
Ｆ２  ストッパー
Ｍ１  カレンダー表示窓
Ｍ２  カレンダー表示窓
Ｓ１  奇数月のカレンダーシート
Ｓ２  偶数月のカレンダーシート
【図１】
0003196461.tif 000003
【図２】
0003196461.tif 000004
【図３】
0003196461.tif 000005
(57)【要約】      （修正有）【課題】災害時の避難所に収容される避難民や避難所運営を行う人たちが、災害時に識別を目的に着る災害備蓄用の箱入りベストを提供する。【解決手段】中心部分に開口部を設け、四隅に紐を設けた、表面に表示部分２と記入スペース５を有する長方形の不織布でできたベスト４を、長辺の中心付近から二つ折りにして紙箱に複数枚重ねて収納したことを特徴とする。【選択図】図１
0003196426.tif 000002
【実用新案登録請求の範囲】
【請求項１】
表示部分を設けた不織布でできたベストを箱に複数枚収納した、箱入りベスト。
【考案の詳細な説明】
【技術分野】
【０００１】  本考案は、災害時の避難所に収容される避難民や避難所運営を行う人たちが、災害時に識別を目的に着る災害備蓄用の表示ベストに関する。
【背景技術】
【０００２】  従来、災害時に救助する側の人たちが着用する繊維製の布で作られたベストはあった。また、それらは通常一着毎に畳まれビニール袋に入れて段ボールに入れて保管するか、一着ずつ着用者に配られ、着用者が各々保管していた。救助される側の識別としては傷病度を識別するためのトリアージタグがあった。
【考案の概要】
【０００３】
【考案が解決しようとする課題】
【０００４】  これには次のような欠点があった。
（イ）繊維製の布でできたベストは価格が高く、数多くの備蓄をする事は難しかった。
（ロ）繊維製の布でできたベストは、生地が厚く綺麗に折り畳んでも５０着や１００着となると、かなりの体積になっていた。
（ハ）繊維製の布でできたベストは、役割を表示する為には、ベスト本体に刺繍か印刷を施していたため、着用者の数を災害より事前に把握し、ベストの用意をしなければならなかった。
（ニ）トリアージタグは安くて数多く用意でき、傷病度を識別する事はできるが、持病や障害者の障害度合を表すことができなかった。
（ホ）トリアージタグは表示が小さく、近くに行かなければ見えなかった。
【課題を解決するための手段】
【０００５】  長方形の不織布の中心部に丸型の開口部（１）を設け、前身と後身に表示部分（２）を設けたベストを、上面と側面にベストが収納されている事を明記した紙製の箱に複数枚収納する。本考案は、以上のような構成よりなる箱入り表示ベストである。
【考案の効果】
【０００６】  本考案の箱入り表示ベストは、避難所施設の備蓄倉庫に箱のまま保管しておき、災害が発生し避難民を受け入れる際には箱ごと倉庫から持ち出し、箱の上蓋（３）を開けて、中に収納されている不織布製のベスト（４）を避難民に迅速に配る事ができる。そして、もらう側の避難民も袋に入ってないので受けっとって迅速に着用が可能。また、ベスト本体にあらかじめ印刷していた表示以外に、記入スペース（５）を設けておけば、避難民が自分の障害を油性ペン等で書くことができる。そうする事によって一目で誰がどのような助けが必要か判断する事が出来る。また避難民同士でも助け合う事も可能となる。そしてベストは不織布製で簡単な形状のため抜き加工で製造できるので、縫製する必要がほとんど無いため安価で製造できる。
【図面の簡単な説明】
【０００７】
【図１】  本考案の斜視図である。
【図２】  本考案の斜視図である。
【図３】  本考案の考案を実施するための形態に係るベストの斜視図である。
【図４】  本考案の考案を実施するための形態に係るベストの上面図である。
【考案を実施するための形態】
【０００８】（イ）長方形の厚さ０．２ｍｍから０．４ｍｍ程度の不織布の中心部分に丸型の開口部（１）を設ける。
（ロ）長方形の四隅に装着時のための紐（６）を設ける
（ハ）長方形の不織布の開口部（１）以外の場所に、表示部分（２）と文字を書き込む事の出来る記入スペース（５）を設ける。また、災害時必要な役割名や所属名をあらかじめ印刷しておく事も望ましい。
（ニ）文字を印刷せずに色のついた枠だけを印刷する事も望ましい。
（ホ）上記仕様のベストを底辺の四角い立方体の箱に複数枚収納する。
（ヘ）箱の上面と側面にベストが収納されている事が分かるように明記する。
（ト）ベスト同様、箱の上面と側面に文字を書き込む事の出来るスペースを設ける。
（チ）箱の上蓋（３）は開閉ができるように一辺が箱の側面部分と連結するように設ける。
【実施例】
【０００９】  以下、本考案の実施例について説明する。
本考案は、普段は災害時に避難所となる建物の備蓄倉庫に箱側面の記載が見えるように保管しておき、災害が起きた際に必要なベストが入っている箱を取り出し、箱ごと避難所に移動しておく。そして、避難者が来た際に上蓋（３）を開けて不織布製のベスト（４）を取り出し、避難者に配る。また、障害を持った避難者はその場でベストの文字を書き込める記入スペース（５）に、油性ペンでどのような障害を持っているか記入して着用してもらう。
【産業上の利用可能性】
【００１０】  本考案の箱入り表示ベストは、災害時に避難所へ避難してくる住民に着てもらう事で、どの人にどのような手助けが必要か明確にすることができ、災害時の混乱の中でも的確な支援が可能となる。また、文字での表示だけでなく色で分ける事もできるので、遠く離れていて表示の文字が見えなくても色で判断する事も可能となる。また、ベスト本体は０．２ｍｍから０．４ｍｍと薄い不織布でできているため、１００枚重ねても厚さは１０ｃｍぐらいで保管できるので、保管場所に困らない。
【符号の説明】
【００１１】１  開口部
２  表示部分
３  上蓋
４  ベスト
５  記入スペース
６  紐
【図１】
0003196426.tif 000003
【図２】
0003196426.tif 000004
【図３】
0003196426.tif 000005
【図４】
0003196426.tif 000006
【手続補正書】
【提出日】平成26年12月19日(2014.12.19)
【手続補正１】
【補正対象書類名】実用新案登録請求の範囲
【補正対象項目名】全文
【補正方法】変更
【補正の内容】
【実用新案登録請求の範囲】
【請求項１】
中心部分に開口部を設け、四隅に紐を設けた、表面に表示部分と記入スペースを有する長方形の不織布でできたベストを、長辺の中心付近から二つ折りにして紙箱に複数枚重ねて収納した、紙箱入りベスト。
(57)【要約】      （修正有）【課題】内燃機関において吸引する力は、ピストンの下降の動きによって発生するが、始動やアイドリングの低回転域での弱い吸引力でも要求空気量を確保できる吸気補助装置を提供する。【解決手段】エアクリーナボックスの水抜きに取り付けられる内燃機関エンジン用低回転域のダクトおよびエアクリーナボックス内の圧力を利用した吸気改善装置である吸気プレート１であって、吸気プレートは、中央部に吸気口２を有し、吸気口には吸気フィルタが吸気口を覆い、吸気口周縁部のみ吸気フィルタ５と吸気プレートが離反するように密着させたことを特徴とする。【選択図】図１
0003196444.tif 000002
【実用新案登録請求の範囲】
【請求項１】
エアクリーナボックスの水抜きに取り付けられる内燃機関エンジン用低回転域のダクトおよびエアクリーナボックス内の圧力を利用した吸気改善装置である吸気プレートであって、該吸気プレートは、中央部に吸気口を有し、該吸気口には吸気フィルタが前記吸気口を覆い、吸気口周縁部のみ前記吸気フィルタと前記吸気プレートが離反するように密着させたことを特徴とする。
【考案の詳細な説明】
【技術分野】
【０００１】
この考案は、内燃機関における低回転域の空気量を確保する吸気に関するものである。
【背景技術】
【０００２】
内燃機関のエンジンにおける空気は、慣性の働きにより、中空の管状に形成されたエアダクトで配置され、エアクリーナボックスを介して供給されるが、その内径は一定で、エンジンの低回転時であっても高回転時であっても、このエアダクト内の全域を通り、エンジン側に供給されるように構成されている。 このような構造では、エンジンの低回転時の弱い吸引力が、要求空気量を確保できず、不完全燃焼で熱効率が半分にまで落ちる問題がある。
【考案の概要】
【考案が解決しようとする課題】
【０００３】
吸引する力は、ピストンの下降の動きによって発生するが、始動やアイドリングの低回転域での弱い吸引力でも要求空気量を確保できる吸気補助装置を提供する。
【課題を解決するための手段】
【０００４】
エアクリーナボックスの水抜きに取り付けられる内燃機関エンジン用低回転域の吸気改善装置である吸気プレートであって、該吸気プレートは、中央部に吸気口を有し、該吸気口には吸気フィルタが前記吸気口を覆い、吸気口周縁部のみ前記吸気フィルタと前記吸気プレートが離反するように密着させたことを特徴とする。
【考案の効果】
【０００５】
弱い吸引力でも短い吸気経路で必要な空気量が得やすくなり、瞬間的に発生するエアクリーナボックス内の圧力上昇で生じる空気漏れを抑え、繰り返される吸気工程の空気のスムーズな流れが、トルクとレスポンスの向上に向けられ、熱効率が改善する。
【図面の簡単な説明】
【０００６】
【図１】吸気プレート構成図
【図２】化学繊維クロスの動作概念図
【図３】エンジン吸気系概念図
【図４】装置取り付け設置図
【考案を実施するための形態】
【０００７】
本装置7は、数ミリの厚さの樹脂の板にエンジン1気筒の排気量13に応じ、吸気プレート1に円形の吸気口2を開け、裏面に両面テープ4で化学繊維であるマイクロファイバークロス5を貼り付けるが、吸気口2内径よりも両面テープ4の内径3を広くすることで、マイクロファイバークロス5が吸気時で伸び、一瞬の内圧上昇時に吸気口2に収縮する。吸気口2の直径は、軽自動車で10ｍｍ程度である。
【０００８】
吸気系の経路内では、ピストンの吸気と遮断を繰り返す工程の中で、エアハンマーのような瞬間の圧力上昇が吸気の後で発生するが、吸気口2をマイクロファイバークロス5で覆うことで、逃げ出そうとする空気が繊維を伸ばし、伸びた繊維が吸気口2に集まることで、繊維間の隙間を狭くする。つまり、吸気ａでは、繊維間の広がりで空気が通りやすく、遮断では、排気ｂのように吸気口2に伸びた繊維が集まり、繊維間を狭くすることで空気の通りを抑える。
【０００９】
エンジンの始動は、停止状態から電動モーターの力でピストンの往復運動を発生させ、エアダクトの吸気の入り口9から外気をとりいれてダクト10を経由してエアクリーナボックス11、エアクリーナー15、スロットルバルブ12で調整され、エンジンの燃焼室13へと導かれるが、ピストン16の下降によって空気を、入り口9から吸引するが弱い。さらに、ピストン16の工程によって流入する空気を瞬間に遮断するため、ダクト10とエアクリーナボックス11内の圧力が一瞬上昇する。その時の空気は、経路の長さから、水抜き口14から漏れ出る。このように内圧が不安定の空気の移動は、レスポンスを低下さる原因にもなる。本装置7は、水抜き口14に取り付けるが、従来の水抜き口14より吸気口2が大きくなる。
【００１０】
本装置7の装着は、コネクタ16や他の部材等を用いて、エアクリーナボックス3と同等の堅牢さを保つように固定する。本装置7の吸気プレート1の吸気口2を外気側に、マイクロファイバークロス5をエアクリーナボックス11内に向け、密着するようにストッパー17で支える。水抜きは、本装置7が入るコネクタ18に水が流れ出やすいよう溝19を設けて、本装置の吸気口2から自然落下で排出する。
【実施例】
【００１１】
図4は、エアクリーナボックス11の水抜き14付近へ、市販の電工用コネクター18に本装置7を取付け穴20へ組み込み、装着した例で、水抜き用の溝19を加工してある。水は、走行の中高速回転域でマイクロファイバークロス5の振動や、エンジン停止中に浸透して落下する。本装置7は、従来のエアクリーナボックス11の機能を損なわず、エアフィルター5を介して必要な空気量を補完することで、スムーズな発進とレスポンスを生かした加速が得られる。本装置7は、装置8のようにクロスプレート6を設け、吸気プレート1と密着させることでも同じ効果が得られる。
【産業上の利用可能性】
【００１２】
各種安全装置が拡充する自動車安全システムでは、電源や油圧を主るアイドリングのパワーと安定した回転が不可欠である。本装置は、自然吸気によってその条件を整え、停車時のエンジンストップ機能の再始動でもバッテリーの負担を少なくできる特徴がある。 そして、将来の高効率エンジンが開発されたとしても、必要な技術と装備である。なお、従来の水抜きをそのままに、エアクリーナボックスの他の面に本装置を取り付けることによって、本装置とエアダクトやエアクリーナボックス内の空気の慣性がもたらす効果が、水抜き口のロスより大きいため、同じように効果が得られる。
【符号の説明】
【００１３】
1:吸気プレート
2：吸気口
3：化学繊維クロスの貼り付け位置
4：両面テープ
5：化学繊維クロス
7・8：吸気改善補助装置
11：エアクリーナボックス
16：エンジンピストン
17：ストッパー
18：取付け用コネクタ
20：取り付け穴
ａ：吸気時の概念図
ｂ：排気時の概念図
【図２】
0003196444.tif 000003
【図１】
0003196444.tif 000004
【図３】
0003196444.tif 000005
【図４】
0003196444.tif 000006
(57)【要約】      （修正有）【課題】洗濯物の室内干しの際、鴨居やカーテンレールに掛けて吊り下げた時に生じる枠体の傾きを支点部の移動によって修正し、常に洗濯物を真っ直ぐに干せる様に考案した洗濯物ハンガーを提供する。【解決手段】洗濯物ハンガーの支点部２と枠体３を２本のロープ４ａ、４ｂで連結する。支点部に２つの並列する通過孔８ａ、８ｂを設け、一方の通過孔８ａを通したロープ４ａの両端をその通過孔と同側の枠体の短辺部５ａの両端隅角部７ａと繋ぐ。他方の通過孔８ｂを通したもう１本のロープ４ｂで反対側も同様に繋ぐ。支点部の通過孔８ａ、８ｂにはロープ４ａ、４ｂを通すだけで、固定しない。これで、ロープ４ａ、４ｂに沿って支点部２が、通過孔と平行な方向に移動可能になる。この移動操作で支点部２と枠体３との位置関係を変更することで吊り下げ時の枠体３の傾きを修正できる。【選択図】図１
0003196450.tif 000002
【実用新案登録請求の範囲】
【請求項１】
ピンチを複数備えた任意の形状の枠体を吊り下げ具で吊り下げ、それら具材を繋ぐ支点部に設けた孔に柔軟性を有する吊り下げ具を通過させることで支点部を移動可能な構造とし、支点部と枠体との位置関係が可変であることを特徴とする洗濯物ハンガー。
【考案の詳細な説明】
【技術分野】
【０００１】  本考案は、洗濯物の室内干しの際、鴨居やカーテンレールに掛けて吊るした時に生じる枠体の傾きを修正して水平な状態を保持することが可能な洗濯物ハンガーに関するものである。
【背景技術】
【０００２】  従来の洗濯物ハンガーでは、ピンチを複数備える枠体とそれら具材をまとめて吊り下げる支点部とは一体化されたり、一定の長さで固定されたワイヤー等の吊り下げ具で連結されたりしていた。
【考案の概要】
【考案が解決しようとする課題】
【０００３】  しかし、上述した従来の洗濯物ハンガーの支点部と枠体の連結構造では、支点部と枠体の位置関係は任意に変更できない。そのため、室内干しの際に鴨居やカーテンレールに掛けた時に、枠体の側面がふすまや窓に接触してしまうことから生じる枠体の傾きを修正することができず、水平な状態を保持できなかった。その結果、枠体に複数付属するピンチの高さにも差異が生じ、洗濯物が捻じれたり、相互に接触したりして真っ直ぐ干せず、乾燥も遅れてしまう。本考案は、以上のような課題を解決するためになされたものである。
【課題を解決するための手段】
【０００４】  本考案は、洗濯物ハンガーの支点部と枠体とをロープを用いて連結する。さらに支点部では同部に設けた通過孔にロープを通過させるのみで、支点部とロープを固定しない。これにより、ロープに沿って支点部が移動可能な構造とする。
【考案の効果】
【０００５】  ロープに沿って支点部を移動させる操作により支点部と枠体の位置関係を変更する。その結果、鴨居やカーテンレールに掛けた時の枠体の傾きを修正して、常に洗濯物どうしを真っ直ぐ平行に干すことができる。
【図面の簡単な説明】
【０００６】
【図１】  本考案に係る洗濯物ハンガーの一例の概略斜視図である。
【図２】  本考案に係る洗濯物ハンガーの支点部の一例の概略斜視図である。
【図３】  本考案に係る洗濯物ハンガーの支点部の一例の通過孔を含む高さにおける水平断面図である。
【図４】  本考案に係る洗濯物ハンガーを鴨居に掛けた際の状態を説明する要部を破断した側面図である。（ａ）は枠体の傾きを修正する前の側面図、（ｂ）は枠体の傾きを修正した後の側面図である。
【考案を実施するための形態】
【０００７】  以下、本考案に係る洗濯物ハンガーの実施例を図１乃至図４に基づいて説明する。本考案に係る洗濯物ハンガーの一例を示す図１において、（１）は本考案に係る洗濯物ハンガーであり（２）は支点部、（３）は枠体、（４ａ、４ｂ）はロープである。
【０００８】  図１に示すように、洗濯物ハンガーの支点部（２）と枠体（３）を２本のロープ（４ａ、４ｂ）で連結する。図１乃至図３に示すように、支点部（２）に、枠体の短辺（５ａ、５ｂ）と平行な２か所の通過孔（８ａ、８ｂ）を並列に設ける。１つの通過孔（８ａ）を通過させたロープ（４ａ）の両端をその通過孔と同側の枠体の短辺部（５ａ）の両端の隅角部（７ａ）と繋ぐ。さらにもう１本のロープ（４ｂ）を支点部（２）の他の通過孔（８ｂ）に通し、同様に枠体の隅角部（７ｂ）と繋ぐ。図２および図３に示すように支点部の通過孔（８ａ、８ｂ）には、それぞれロープ（４ａ、４ｂ）を通過させるだけで固定しない。これによりロープ（４ａ、４ｂ）に沿って支点部（２）が、通過孔（８ａ、８ｂ）と平行な方向、すなわち、図１に示す枠体の両側の長辺（６）の方向に移動可能となり、吊るした時の支点部（２）と枠体（３）の位置関係が可変となる。
【０００９】  本考案の以上の構造においては、ロープは枠体を支点部に連結する吊り下げ具としての役割、およびロープに沿って支点部を移動可能にする役割を果たしている。
【００１０】  以上の実施例で使用したロープについては、チェーン、ベルト、柔軟性を有するワイヤー等の他の吊り下げ具を用いても同様の利点が得られる。
【００１１】  また、支点部に設ける通過孔の形状に関しては、上記の実施例では円形としたが、楕円形等他の形状でも同様の利点が得られる。
【００１２】  図４に本考案の実施の一例について示す。図４（ａ）に示すように本考案に係る傾き修正洗濯物ハンガーを鴨居（１１）に掛けた時、枠体（３）の側面がふすま（１２）に接触し傾いた場合に、図４（ｂ）に示すように支点部（２）の位置を移動させ、支点部（２）と枠体の各隅角部（７ａ）との間の長さを変更することで支点部（２）と枠体（３）との位置関係を調節する。この簡単な操作で、枠体（３）の傾きを修正し水平に吊るすことが可能になる。
【００１３】  以上の実施例では、鴨居に掛けた場合を例示したが、本考案は、カーテンレールその他に掛ける場合にも同様の利点が得られる。
【符号の説明】
【００１４】１  洗濯物ハンガー
２  支点部
３  枠体
４、４ａ、４ｂ  ロープ
５、５ａ、５ｂ  枠体の短辺部
６  枠体の長辺部
７、７ａ、７ｂ  枠体の隅角部
８、８ａ、８ｂ  支点部に設けた通過孔
９  フック
１０  ピンチ
１１  鴨居
１２  ふすま
【図１】
0003196450.tif 000003
【図２】
0003196450.tif 000004
【図３】
0003196450.tif 000005
【図４】
0003196450.tif 000006
(57)【要約】      （修正有）【課題】自然の素材を使用した模様のある硬質の皮革製時計バンドであっても、きれいで腕なじみの良い湾曲が形成できるバンドを提供する。【解決手段】皮革製時計バンド１０は、表材１１と芯材１２と裏材１３とを積層させたものである。芯材と裏材に対して、これよりも長手方向に長い寸法の表材を積層することによって、皮革製時計バンドの内側（芯材と裏材側）にテンションがかかり、皮革製時計バンドが自然に湾曲することになる。【選択図】図１
0003196489.tif 000002
【実用新案登録請求の範囲】
【請求項１】
表材と裏材、または、表材と芯材と裏材を積層させた皮革製時計バンドであって、
裏材又は芯材と裏材に対してこれよりも長手方向に長い寸法の表材を積層させることによりバンドの内側に自然湾曲することを特徴とした皮革製時計バンド。
【請求項２】
請求項１記載の皮革製時計バンドを備えたことを特徴とする腕時計。
【考案の詳細な説明】
【技術分野】
【０００１】
本願考案は、表材と裏材、または、表材と芯材と裏材を積層させた皮革製時計バンドに関するものである。
【背景技術】
【０００２】
本願出願人は、これまでに時計バンドの分野において、様々な皮革製時計バンドを研究・開発してきた（例えば、特許文献１など）。
しかし、従来の皮革製時計バンドは、図３に示すように、平坦に作ったバンド３０を腕時計に取り付けてから湾曲させて使用するために、表材の節部分（竹符）で折れ曲がってきれいな湾曲にならない場合があった。また、皮革製時計バンドで使用される皮革は元々硬質なものであり、腕へのなじみが悪かった。
【先行技術文献】
【特許文献】
【０００３】
【特許文献１】実用新案登録第３００４１７７号公報
【考案の概要】
【考案が解決しようとする課題】
【０００４】
そこで、本願考案者は、自然の素材を使用した皮革製時計バンドであっても、きれいで腕なじみの良い湾曲を形成するバンドの提供を目的として、鋭意研究・開発の結果、本願考案を完成するに至った。
【課題を解決するための手段】
【０００５】
上記目的を達成するために、本願考案は、表材と裏材、または、表材と芯材と裏材を積層させた皮革製時計バンドであって、裏材又は芯材と裏材に対してこれよりも長手方向に長い寸法の表材を積層させることによりバンドの内側に自然湾曲することを特徴とした。
【考案の効果】
【０００６】
本願考案によれば、以下のような効果を有する。
（１）裏材又は芯材と裏材に対してこれよりも長手方向に長い寸法の表材を積層させることによって、バンドの内側（裏材側又は芯材と裏材側）にテンションがかかり、バンドが自然に湾曲することになる。
（２）これによって、表材の模様（節など）にかかわらずバンドが均等に湾曲し、一部分が極端に折れ曲がることがなくなり、見た目がきれいで腕なじみの良い皮革製時計バンドが実現できた。
（３）また、元々湾曲状態で積層されているので、バンド素材に経年劣化が生じてもその湾曲形状が大きく崩れることはなく、きれいで腕なじみの良い湾曲状態を維持できる。
【図面の簡単な説明】
【０００７】
【図１】本願考案に係る実施形態を示す説明図（１）。
【図２】本願考案に係る実施形態を示す説明図（２）。
【図３】従来例を示す説明図。
【考案を実施するための形態】
【０００８】
本願考案の実施形態を図面に基づいて説明する。
図１は、本願考案に係る皮革製時計バンドの構造を図示したものである。
皮革製時計バンド１０は、表材１１と芯材１２と裏材１３とを積層させたものである。そして、芯材１２と裏材１３に対して、これよりも長手方向に長い寸法の表材１１が積層されている。これによって、皮革製時計バンド１０の内側（芯材１２と裏材１３側）にテンションがかかり、皮革製時計バンド１０が自然に湾曲することになる（図１上図）。
【０００９】
この自然に湾曲した状態の皮革製時計バンド１０を腕時計２０に取り付けることによって、表材１１の模様（節など）にかかわらずバンドが均等に湾曲し、一部分が極端に折れ曲がることがなくなり、見た目がきれいで腕なじみの良い皮革製時計バンド１０となる（図１下図）。
【００１０】
図２は、図１で図示した構造によるフランス式上乗せ仕立ての皮革製時計バンドの一例である。なお、本願考案の構造を利用した皮革製時計バンドの種類は、図２の「フランス式上乗せ仕立て」に限定されるものではない。
【産業上の利用可能性】
【００１１】
本願考案は、皮革製時計バンドに対して幅広く利用できるものである。
【符号の説明】
【００１２】
１０  皮革製時計バンド
１１  表材（原皮）
１２  芯材
１３  裏材
【図１】
0003196489.tif 000003
【図２】
0003196489.tif 000004
【図３】
0003196489.tif 000005
(57)【要約】      （修正有）【課題】石材等の背面から発せられる光によって隠すべき背面にある構造体が見えなくなる壁面照明装置を提供する。【解決手段】あらかじめ定められた位置に配置された石材２と、その石材２の背面であって、あらかじめ定められた位置に配置されたＬＥＤ１とで構成されている。【選択図】図１
0003196458.tif 000002
【実用新案登録請求の範囲】
【請求項１】
あらかじめ定められた位置に配置された石材と、その石材の背面であって、あらかじめ定められた位置に配置されたＬＥＤ光源とで構成されたことを特徴とする壁面照明装置。
【請求項２】
前記石材にタイルを使用した事を特徴とする請求項１に記載の壁面照明装置。
【請求項３】
前記石材に木材を使用した事を特徴とする請求項１に記載の壁面照明装置。
【考案の詳細な説明】
【技術分野】
【０００１】壁面を照明で照らすことに関する考察である。
【背景技術】
【０００２】従来、壁や床仕上を行う場合は装飾のため石材等を構造体の外面側（目視できる面）に設置する。
【考案の概要】
【考案が解決しようとする課題】
【０００５】石材等と石材等の間に隙間がある場合、その隙間から石材等の背面つまり構造体を見通すことになるため、本来石材等で隠すべき構造体が見えていた。
【課題を解決するための手段】
【０００６】あらかじめ定められた位置に配置された石材等と、その石材等の背面であって、あらかじめ定められた位置に配置されたＬＥＤ光源とで構成されている。
【考案の効果】
【０００７】石材等を設置すると石材間のすき間から背面にある構造体が見える。石材等の背面にＬＥＤ光源を設置すると石材等の背面から発せられる光によって隠すべき背面が見えなくなる。また、ＬＥＤ光源の照度を変化させたり、色を変色させることによって石材等の表情に変化をもたらすことが可能となる。
【図面の簡単な説明】
【０００８】
【図１】仕上材と構造体及人工的光源配置の一実例を示す平面図である。
【図２】仕上材と構造体及人工的光源配置の一実例を示す立面図である。
【考案を実施するための形態】
【０００９】本考案は、壁・床・天井のいずれか、又は、その全てに、ある大きさの石材（２）をある間隔で配置し、その裏側には支柱前（４）を配置して、その支柱前（４）は石材を支えている。さらに、支柱前（４）の石材と反対側にＬＥＤ（１）を支えるために支柱後（５）を配置している。
【符号の説明】
【００１０】［図１］  ▲１▼ＬＥＤ
▲２▼石材
▲３▼隙間
▲４▼支柱前
▲５▼支柱後
【図１】
0003196458.tif 000003
【図２】
0003196458.tif 000004
(57)【要約】      （修正有）【課題】余分なクラブを予備として携行するのに負担が少なく、スピーディでスマートなゴルフができる挿入式クラブケースを提供する。【解決手段】筒袋状で、クラブケース本体ごとキャディーバッグに出し入れして使用できる、ゴルフクラブ用の挿入式クラブケースであって、前記クラブケース本体の長さ方向に対して、斜めにカットされた入り口を有し、前記クラブケース本体の側面に取り出し紐を有することを有する。【選択図】図１
0003196453.tif 000002
【実用新案登録請求の範囲】
【請求項１】
筒袋状で、クラブケース本体ごとキャディーバッグに出し入れして使用できる、
ゴルフクラブ用の挿入式クラブケース。
【請求項２】
前記クラブケース本体の長さ方向に対して、斜めにカットされた入り口を有することを
特徴とする請求項１記載の挿入式クラブケース。
【請求項３】
前記クラブケース本体の側面に取り出し紐を有することを有することを
特徴とする請求項１または2に記載の挿入式クラブケース。
【考案の詳細な説明】
【技術分野】
【０００１】
ゴルフプレーにおいて、ゴルフクラブを何本もバラバラに持ち歩くプレーヤーが見受けられます。カッコ悪いうえクラブの出し入れが煩雑になる。それらを解消するゴルフケースである。
【背景技術】
【０００２】
インキャディーバッグはゴルフクラブが数本入る筒袋状で、キャディーバッグに本体ごと出し入れして使用するゴルフケースである。
【先行技術文献】
【特許文献】
【０００３】
【特許文献１】特許公開２０１３−１６５９０７
【非特許文献】
【０００４】
【非特許文献１】省略
【考案の概要】
【考案が解決しようとする課題】
【０００５】
ゴルフカートによるセルフプレイが増え自分でクラブを何本もバラバラに持ち歩くプレーヤーが増えています。
特にグリーン周りでは4,5本それ以上携行することも。かっこ悪くクラブを拾い集めたり、バッグに収納するの時間がかかり、スロープレイの1原因となります。
持ち歩きクラブ本数が少なく使いたいクラブを持っていなかった場面で、ゴルフカートにクラブを取りに戻るのを省略し妥協したクラブ選択使用するとゴルフスコア＆ペースを崩す原因となっていきます。
【０００６】
現在出回っているセルフスタンドタイプのクラブケースは、ゴルフカートが対応していないためカートのあちこちに無作為にぶら下げるため同伴競技者には乗り降りの邪魔で迷惑になっています。
【０００７】
セルフスタンドタイプのクラブケースは、重く大きいくキャディーバッグが実質2つになるので車の無い人には不便で使用をあきらめざるを得ません
【課題を解決するための手段】
【０００８】
使用頻度の高いゴルフクラブ3、4本が入る本体で、インキャディーバッグ本体ごとキャディーバッグに出し入れして使用するクラブケースである。
【０００９】
薄型軽量キャディーバッグにいれての使用なので新たな収納場所も必要なく、ミドルアイアン用、アプローチ用と複数使用も可能です。
【考案の効果】
【００１０】
セカンドショットで使うゴルフクラブとアプローチで使うクラブ数本をそれぞれまとめてインキャディーバッグにいれておき、スムーズに出し入れできファッショナブルに携行できるため、余分にクラブを持ち歩くことが苦にならず妥協の無いクラブ選択、スピーディーでスマートなゴルフプレーを楽しめます。
キャディーバッグが一つなのでスタート前キャディーマスター室への積み込み指示の煩雑さからも開放され、プレー後の持ち帰りもスムーズになり車の無い人にも負担無く使えます。
【図面の簡単な説明】
【００１１】
【図１】本考案、インキャディーバッグの説明図である。
【図２】実際に持ち歩くときの図
【図３】キャディーバッグに、インキャディーバッグを収納した状態の図
【考案を実施するための形態】
【００１２】
クラブが数本入る筒袋状で取り出し紐を持ち本体ごとキャディーバッグに出し入れして使用するクラブケースである。
【実施例】
【００１３】
使うであろうゴルフクラブがまとめてあるので一瞬で取り出し携行できる。
【００１４】
小さな女性が何本もクラブをばらばらに持って走り回っているのを見るとカッコ悪く、哀れさも感じます。インキャディーバッグは多くのクラブをまとめるのでをファッショナブルにプレイできる。
【産業上の利用可能性】
【００１５】
いつも使うであろうゴルフクラブをゆとりを持って多めにまとめてあるため、クラブ選択に幅が出て、スコアアップ＆スムーズなプレイ進行に役立つ。
【００１６】
場所をとらないため、他のプレーヤーに迷惑をかけない。
【００１７】
ゴルフ場へ行くのに自動車が無いひとにも運搬の負担が無い。
【００１８】
多数のクラブを持ち歩くカッコ悪さから解放されてファッショナブルにプレイできる。
【符号の説明】
【００１９】
取り出し紐とはキャディーバッグから引き抜きやすくするための紐である。
【００２０】
入り口斜めカットとはこの形状により開口部を広げクラブの出し入れをスムーズにするともに、ゆとりある長さゆえ、あらゆるなキャディーバッグの深さの違いに対応する。
【図１】
0003196453.tif 000003
【図２】
0003196453.tif 000004
【図３】
0003196453.tif 000005
(57)【要約】      （修正有）【課題】大型液晶モニターより見やすくするための角度調整機能を簡単安価に実現する角度調整モニタースタンドを提供する。【解決手段】設置面に対して互いに異なる角度を有する、複数の挿入口が連結して設けられたことを特徴とする。前記角度は、前記設置面に対して９０度〜８０度の方向であり、前記複数の挿入口は、１箇所で連結され、底面に向かって広がっている構造を有する。【選択図】図１
0003196452.tif 000002
【実用新案登録請求の範囲】
【請求項１】
設置面に対して互いに異なる角度を有する、複数の挿入口が連結して設けられた
ことを特徴とする、角度調整モニタースタンド。
【請求項２】
前記角度は、前記設置面に対して９０度〜８０度の方向であることを特徴とする、
請求項1に記載の角度調整モニタースタンド。
【請求項３】
前記複数の挿入口は、１箇所で連結され、底面に向かって広がっている構造を有することを特徴とする、
請求項1または２に記載の角度調整モニタースタンド。
【考案の詳細な説明】
【技術分野】
【０００１】
本考案は大型液晶モニターより見やすくするための角度調整機能を簡単安価に実現、理想的な視線を提供するモニタースタンドである。
【背景技術】
【０００２】
大型テレビ、モニター画面は角度調整できないものがほとんどで、不自然な角度から見上げたり、見下ろしたりして使用している場合がほとんどである。
【先行技術文献】
【特許文献】
【０００３】
【特許文献１】特許公開２０１０−２８３５３４
【非特許文献】
【０００４】
【非特許文献１】省略
【考案の概要】
【考案が解決しようとする課題】
【０００５】
解決しようとする問題点は、大型液晶モニターが安価簡便に角度調整が出来ない状態の改善である。
大型液晶テレビでは角度調整の必要性から自立スタンドタイプ、壁取り付けタイプ、など後付けタイプが数多く出回って市販されているが、複雑高価で設置出来る条件を選ぶがケースいも多い。
【課題を解決するための手段】
【０００６】
モニタースタンドに９０度、85度程度、80度程度の複数の固定式挿入口を搭載し、状況に応じ差込口を選び挿入します。
【考案の効果】
【０００７】
大画面テレビモニター等を安価簡便に角度調整機能付きにできる。
【図面の簡単な説明】
【０００８】
【図１】本考案、複数の挿入工項を持つモニタースタンドの説明図である。
【図２】寝室、和室等で寝転んで視聴する場面で視線が上のとき、モニターを下方へ向けて設置した例を示す。
【図３】ゲーム、洋室等で視聴する場面で視線が下のときモニターを上方へ向けて設置した例を示す。
【考案を実施するための形態】
【０００９】
モニタースタンドは９０度、85度程度、80度程度の複数の挿入口を搭載する。
【実施例】
【００１０】
希望に応じ、角度選び挿入設置します。
A方向を前にするとモニターを下向きに、B方向はモニターを上向きにできます。
【産業上の利用可能性】
【００１１】
あらゆる家庭、事務所、サービス業、工場等に設置できる。
【符号の説明】
【００１２】
このモニタースタンドは前後が無いため、Ａ方向とＢ方向と表現する。
【図１】
0003196452.tif 000003
【図２】
0003196452.tif 000004
【図３】
0003196452.tif 000005